【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】埋め込み装置、埋め込み方法、抽出装置、抽出方法及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  情報をデジタルデータに埋め込む前に、前記情報を畳み込み符号化方式を用いて符号化する符号化手段と、
前記符号化手段で符号化された前記情報を複数個前記デジタルデータに埋め込む埋め込み手段とを有することを特徴とする埋め込み装置。
【請求項２】  前記情報を前記畳み込み符号化方式を用いて符号化する前に、前記情報を誤り訂正符号化する誤り訂正符号化手段をさらに有することを特徴とする請求項１に記載の埋め込み装置。
【請求項３】  前記情報を前記畳み込み符号化方式を用いて符号化する前に、前記情報を暗号化する暗号化手段をさらに有することを特徴とする請求項１に記載の埋め込み装置。
【請求項４】  情報をデジタルデータに埋め込む前に、ターボ符号化方式を用いて符号化する符号化手段と、
前記符号化手段で符号化された前記情報を複数個前記デジタルデータに埋め込む埋め込み手段とを有することを特徴とする埋め込み装置。
【請求項５】  前記情報を前記ターボ符号化方式を用いて符号化する前に、前記情報を誤り訂正符号化する誤り訂正符号化手段をさらに有することを特徴とする請求項４に記載の埋め込み装置。
【請求項６】  前記情報を前記ターボ符号化方式を用いて符号化する前に、前記情報を暗号化する暗号化手段をさらに有することを特徴とする請求項４に記載の埋め込み装置。
【請求項７】  情報をデジタルデータに埋め込む前に、前記情報を第１の誤り訂正符号化方式を用いて符号化する第１の符号化手段と、
前記第１の符号化手段で符号化された前記情報を、第２の誤り訂正符号化方式を用いて符号化する第２の符号化手段と、
前記第２の符号化手段で符号化された前記情報を複数個前記デジタルデータに埋め込む埋め込み手段とを有することを特徴とする埋め込み装置。
【請求項８】  前記第１の誤り符号化方式の訂正能力は、前記第２の誤り訂正符号化方式と異なることを特徴とする請求項７に記載の埋め込み装置。
【請求項９】  前記第２の誤り符号化方式は、畳み込み符号化方式またはターボ符号化方式であることを特徴とする請求項７または８に記載の埋め込み装置。
【請求項１０】  前記情報は、著作権に関する情報、ユーザに関する情報、前記埋め込み装置に関する情報、前記デジタルデータのコピー回数または世代を制限するための情報、前記デジタルデータの流通経路に関する情報の少なくとも一つを含むことを特徴とする請求項１から９の何れかに記載の埋め込み装置。
【請求項１１】  前記情報を前記デジタルデータに埋め込む前に、前記デジタルデータをウェーブレット変換により変換する変換手段をさらに有することを特徴とする請求項１から１０の何れかに記載の埋め込み装置。
【請求項１２】  前記デジタルデータは、デジタル画像データであることを特徴とする請求項１から１１の何れかに記載の埋め込み装置。
【請求項１３】  前記埋め込み装置は、デジタルカメラ、デジタルカメラ付き情報端末、スキャナの何れかであることを特徴とする請求項１から１２の何れかに記載の埋め込み装置。
【請求項１４】  畳み込み符号化方式を用いて符号化された情報を複数個デジタルデータから抽出する抽出手段と、
前記デジタルデータから抽出された複数個の前記情報を、軟判定ビタビ復号方式を用いて復号する復号手段とを有することを特徴とする抽出装置。
【請求項１５】  ターボ符号化方式を用いて符号化された情報を複数個デジタルデータから抽出する抽出手段と、
前記デジタルデータから抽出された複数個の前記情報を、ターボ復号方式を用いて復号する復号手段とを有することを特徴とする抽出装置。
【請求項１６】  誤り訂正符号化された情報を複数個デジタルデータから抽出する抽出手段と、
前記デジタルデータから抽出された複数個の前記情報を、軟判定復号方式を用いて復号する復号手段とを有することを特徴とする抽出装置。
【請求項１７】  前記復号手段から出力された誤り訂正符号を復号する第２の復号手段をさらに有することを特徴とする請求項１４から１６の何れかに記載の抽出装置。
【請求項１８】  前記復号手段の出力の暗号を復号する暗号復号手段をさらに有することを特徴とする請求項１４から１７の何れかに記載の抽出装置。
【請求項１９】  第１の誤り訂正符号化方式を用いて符号化され、第２の誤り訂正符号化方式を用いて符号化された情報を複数個デジタルデータから抽出する抽出手段と、
前記デジタルデータから抽出された複数個の前記情報を復号する第１の復号手段と、
前記第１の復号手段の出力を復号する第２の復号手段とを有することを特徴とする抽出装置。
【請求項２０】  前記第２の誤り訂正符号化方式の訂正能力は、前記第１の誤り訂正符号化方式と異なることを特徴とする請求項１９に記載の抽出装置。
【請求項２１】  前記第２の誤り符号化方式は、畳み込み符号化方式またはターボ符号化方式であることを特徴とする請求項１９または２０に記載の抽出装置。
【請求項２２】  前記情報は、著作権に関する情報、ユーザに関する情報、複数個の前記情報を前記デジタルデータに埋め込んだ埋め込み装置に関する情報、前記デジタルデータのコピー回数または世代を制限するための情報、前記デジタルデータの流通経路に関する情報の少なくとも一つを含むことを特徴とする請求項１４から２１の何れかに記載の抽出装置。
【請求項２３】  前記情報を複数個前記デジタルデータから抽出する前に、前記デジタルデータをウェーブレット変換により変換する変換手段をさらに有することを特徴とする請求項１４から２２の何れかに記載の抽出装置。
【請求項２４】  前記デジタルデータは、デジタル画像データであることを特徴とする請求項１４から２３の何れかに記載の抽出装置。
【請求項２５】  情報をデジタルデータに埋め込む前に、前記情報を畳み込み符号化方式を用いて符号化する符号化ステップと、
前記符号化ステップで符号化された前記情報を複数個前記デジタルデータに埋め込む埋め込みステップとを有することを特徴とする埋め込み方法。
【請求項２６】  情報をデジタルデータに埋め込む前に、ターボ符号化方式を用いて符号化する符号化ステップと、
前記符号化ステップで符号化された前記情報を複数個前記デジタルデータに埋め込む埋め込みステップとを有することを特徴とする埋め込み方法。
【請求項２７】  情報をデジタルデータに埋め込む前に、前記情報を第１の誤り訂正符号化方式を用いて符号化する第１の符号化ステップと、
前記第１の符号化ステップで符号化された前記情報を、第２の誤り訂正符号化方式を用いて符号化する第２の符号化ステップと、
前記第２の符号化ステップで符号化された前記情報を複数個前記デジタルデータに埋め込む埋め込みステップとを有することを特徴とする埋め込み方法。
【請求項２８】  畳み込み符号化方式を用いて符号化された情報を複数個デジタルデータから抽出する抽出ステップと、
前記デジタルデータから抽出された複数個の前記情報を、軟判定ビタビ復号方式を用いて復号する復号ステップとを有することを特徴とする抽出方法。
【請求項２９】  ターボ符号化方式を用いて符号化された情報を複数個デジタルデータから抽出する抽出ステップと、
前記デジタルデータから抽出された複数個の前記情報を、ターボ復号方式を用いて復号する復号ステップとを有することを特徴とする抽出方法。
【請求項３０】  誤り訂正符号化された情報を複数個デジタルデータから抽出する抽出ステップと、
前記デジタルデータから抽出された複数個の前記情報を、軟判定復号方式を用いて復号する復号ステップとを有することを特徴とする抽出方法。
【請求項３１】  第１の誤り訂正符号化方式を用いて符号化され、第２の誤り訂正符号化方式を用いて符号化された情報を複数個デジタルデータから抽出する抽出ステップと、
前記デジタルデータから抽出された複数個の前記情報を復号する第１の復号ステップと、
前記第１の復号ステップの出力を復号する第２の復号ステップとを有することを特徴とする抽出方法。
【請求項３２】  請求項２５から２７の何れかに記載の埋め込み方法を実行するためのプログラムを記憶したことを特徴とするコンピュータ読み取り可能な記憶媒体。
【請求項３３】  請求項２８から３１の何れかに記載の抽出方法を実行するためのプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、デジタルコンテンツの著作権の保護、改竄の防止等を実現する埋め込み装置、埋め込み方法、抽出装置、抽出方法及びコンピュータ読み取り可能な記憶媒体に関するものである。
【手続補正４】
【補正対象書類名】明細書
【補正対象項目名】０００８
【補正方法】変更
【補正の内容】
【０００８】
そこで、本発明は、デジタルコンテンツの品質を大きく劣化させることなく、耐性のある電子透かし情報の埋め込み又は抽出を可能にすることを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
【課題を解決するための手段】
本発明に係る埋め込み装置は、例えば、情報をデジタルデータに埋め込む前に、前記情報を畳み込み符号化方式を用いて符号化する符号化手段と、前記符号化手段で符号化された前記情報を複数個前記デジタルデータに埋め込む埋め込み手段とを有することを特徴とする。
【手続補正７】
【補正対象書類名】明細書
【補正対象項目名】００１１
【補正方法】変更
【補正の内容】
【００１１】
本発明に係る他の埋め込み装置は、例えば、情報をデジタルデータに埋め込む前に、ターボ符号化方式を用いて符号化する符号化手段と、前記符号化手段で符号化された前記情報を複数個前記デジタルデータに埋め込む埋め込み手段とを有することを特徴とする。
【手続補正８】
【補正対象書類名】明細書
【補正対象項目名】００１２
【補正方法】変更
【補正の内容】
【００１２】
本発明に係る他の埋め込み装置は、例えば、情報をデジタルデータに埋め込む前に、前記情報を第１の誤り訂正符号化方式を用いて符号化する第１の符号化手段と、前記第１の符号化手段で符号化された前記情報を、第２の誤り訂正符号化方式を用いて符号化する第２の符号化手段と、前記第２の符号化手段で符号化された前記情報を複数個前記デジタルデータに埋め込む埋め込み手段とを有することを特徴とする。
【手続補正９】
【補正対象書類名】明細書
【補正対象項目名】００１３
【補正方法】変更
【補正の内容】
【００１３】
本発明に係る抽出装置は、例えば、畳み込み符号化方式を用いて符号化された情報を複数個デジタルデータから抽出する抽出手段と、前記デジタルデータから抽出された複数個の前記情報を、軟判定ビタビ復号方式を用いて復号する復号手段とを有することを特徴とする。
【手続補正１０】
【補正対象書類名】明細書
【補正対象項目名】００１４
【補正方法】変更
【補正の内容】
【００１４】
本発明に係る他の抽出装置は、例えば、ターボ符号化方式を用いて符号化された情報を複数個デジタルデータから抽出する抽出手段と、前記デジタルデータから抽出された複数個の前記情報を、ターボ復号方式を用いて復号する復号手段とを有することを特徴とする。
【手続補正１１】
【補正対象書類名】明細書
【補正対象項目名】００１５
【補正方法】変更
【補正の内容】
【００１５】
本発明に係る他の抽出装置は、例えば、誤り訂正符号化された情報を複数個デジタルデータから抽出する抽出手段と、前記デジタルデータから抽出された複数個の前記情報を、軟判定復号方式を用いて復号する復号手段とを有することを特徴とする。
【手続補正１２】
【補正対象書類名】明細書
【補正対象項目名】００１６
【補正方法】変更
【補正の内容】
【００１６】
本発明に係る他の抽出装置は、例えば、第１の誤り訂正符号化方式を用いて符号化され、第２の誤り訂正符号化方式を用いて符号化された情報を複数個デジタルデータから抽出する抽出手段と、前記デジタルデータから抽出された複数個の前記情報を復号する第１の復号手段と、前記第１の復号手段の出力を復号する第２の復号手段とを有することを特徴とする。
【手続補正１３】
【補正対象書類名】明細書
【補正対象項目名】００１７
【補正方法】変更
【補正の内容】
【００１７】
本発明に係る埋め込み方法は、例えば、情報をデジタルデータに埋め込む前に、前記情報を畳み込み符号化方式を用いて符号化する符号化ステップと、前記符号化ステップで符号化された前記情報を複数個前記デジタルデータに埋め込む埋め込みステップとを有することを特徴とする。
【手続補正１４】
【補正対象書類名】明細書
【補正対象項目名】００１８
【補正方法】変更
【補正の内容】
【００１８】
本発明に係る他の埋め込み方法は、例えば、情報をデジタルデータに埋め込む前に、ターボ符号化方式を用いて符号化する符号化ステップと、前記符号化ステップで符号化された前記情報を複数個前記デジタルデータに埋め込む埋め込みステップとを有することを特徴とする。
【手続補正１５】
【補正対象書類名】明細書
【補正対象項目名】００１９
【補正方法】変更
【補正の内容】
【００１９】
本発明に係る他の埋め込み方法は、例えば、情報をデジタルデータに埋め込む前に、前記情報を第１の誤り訂正符号化方式を用いて符号化する第１の符号化ステップと、前記第１の符号化ステップで符号化された前記情報を、第２の誤り訂正符号化方式を用いて符号化する第２の符号化ステップと、前記第２の符号化ステップで符号化された前記情報を複数個前記デジタルデータに埋め込む埋め込みステップとを有することを特徴とする。
【手続補正１６】
【補正対象書類名】明細書
【補正対象項目名】００２０
【補正方法】変更
【補正の内容】
【００２０】
本発明に係る抽出方法は、例えば、畳み込み符号化方式を用いて符号化された情報を複数個デジタルデータから抽出する抽出ステップと、前記デジタルデータから抽出された複数個の前記情報を、軟判定ビタビ復号方式を用いて復号する復号ステップとを有することを特徴とする。
【手続補正１７】
【補正対象書類名】明細書
【補正対象項目名】００２１
【補正方法】変更
【補正の内容】
【００２１】
本発明に係る他の抽出方法は、例えば、ターボ符号化方式を用いて符号化された情報を複数個デジタルデータから抽出する抽出ステップと、前記デジタルデータから抽出された複数個の前記情報を、ターボ復号方式を用いて復号する復号ステップとを有することを特徴とする。
【手続補正１８】
【補正対象書類名】明細書
【補正対象項目名】００２２
【補正方法】変更
【補正の内容】
【００２２】
本発明に係る他の抽出方法は、例えば、誤り訂正符号化された情報を複数個デジタルデータから抽出する抽出ステップと、前記デジタルデータから抽出された複数個の前記情報を、軟判定復号方式を用いて復号する復号ステップとを有することを特徴とする。
【手続補正１９】
【補正対象書類名】明細書
【補正対象項目名】００２３
【補正方法】変更
【補正の内容】
【００２３】
本発明に係る他の抽出方法は、例えば、第１の誤り訂正符号化方式を用いて符号化され、第２の誤り訂正符号化方式を用いて符号化された情報を複数個デジタルデータから抽出する抽出ステップと、前記デジタルデータから抽出された複数個の前記情報を復号する第１の復号ステップと、前記第１の復号ステップの出力を復号する第２の復号ステップとを有することを特徴とする。
【手続補正２０】
【補正対象書類名】明細書
【補正対象項目名】００２４
【補正方法】変更
【補正の内容】
【００２４】
本発明に係るコンピュータ読み取り可能な記憶媒体は、上記の埋め込み方法の何れかを実行するためのプログラムを記憶したことを特徴とする。本発明に係る他のコンピュータ読み取り可能な記憶媒体は、上記の抽出方法の何れかを実行するためのプログラムを記憶したことを特徴とする。
【手続補正２１】
【補正対象書類名】明細書
【補正対象項目名】００２５
【補正方法】変更
【補正の内容】
【００２５】
【発明の実施の形態】
以下、本発明に係る埋め込み装置、埋め込み方法、抽出装置、抽出方法及びコンピュータ読み取り可能な記憶媒体について図面を用いて詳細に説明する。
【手続補正２２】
【補正対象書類名】明細書
【補正対象項目名】００４２
【補正方法】変更
【補正の内容】
【００４２】
２０８はリードソロモン方式を用いて電子透かし情報を誤り訂正符号化する誤り訂正符号化部、２０９は共通鍵暗号方式の一つであるＤＥＳ（Ｄａｔａ  Ｅｎｃｒｙｐｔｉｏｎ  Ｓｙｓｔｅｍ）方式を用いて電子透かし情報を暗号化するＤＥＳ暗号化部、２１０はデジタル画像データに埋め込む埋め込み情報を畳み込み符号化する畳み込み符号化部である。
【手続補正２３】
【補正対象書類名】明細書
【補正対象項目名】０１５３
【補正方法】変更
【補正の内容】
【０１５３】
【発明の効果】
以上のように、本発明によれば、デジタルコンテンツの品質を大きく劣化させることなく、耐性のある電子透かし情報の埋め込み又は抽出を可能にすることができる。
【手続補正２４】
【補正対象書類名】明細書
【補正対象項目名】０１５４
【補正方法】削除
【補正の内容】
【手続補正２５】
【補正対象書類名】明細書
【補正対象項目名】０１５５
【補正方法】削除
【補正の内容】
【手続補正２６】
【補正対象書類名】明細書
【補正対象項目名】０１５６
【補正方法】削除
【補正の内容】
【手続補正２７】
【補正対象書類名】明細書
【補正対象項目名】０１５７
【補正方法】削除
【補正の内容】
【手続補正２８】
【補正対象書類名】明細書
【補正対象項目名】０１５８
【補正方法】削除
【補正の内容】
【手続補正２９】
【補正対象書類名】明細書
【補正対象項目名】０１５９
【補正方法】削除
【補正の内容】